(57)【要約】【課題】使用者が、標準規格紙や標準規格紙と同寸法の粘着シールを用いて自由に背見出し用紙をカスタマイズして作成し使用しても外観の悪化を招かず、また、背ポケット部を形成するための樹脂フィルムの溶着状態を適正なものとすることができるファイルを提供する。【解決手段】背見出し用紙６を配置するように設けた背見出し用紙配置部５２の高さ寸法を、所定の標準規格紙の長辺又は短辺の何れかの寸法に対応させた。【選択図】図１
2004175045.tif 000002
【特許請求の範囲】
【請求項１】
表表紙部及び裏表紙部と、これら表表紙部及び裏表紙部の基端間に設けられる背表紙部とを有するファイル本体を具備し、表表紙部と背表紙部との境界部分及び裏表紙部と背表紙部との境界部分にそれぞれ形成されるヒンジ部を境に表表紙部と裏表紙部とを背表紙部に対して回動動作させることにより開閉可能であり、少なくとも背表紙部の外面側に、表題等を表示する背見出し用紙を外部から視認可能に配置し得る背見出し用紙配置部を設けたものであって、
前記背見出し用紙配置部の高さ寸法を、所定の標準規格紙の長辺又は短辺の何れかの寸法に対応させていることを特徴とするファイル。
【請求項２】
背見出し用紙配置部の高さ寸法を、ファイル本体への前記収容対象物である所定の標準規格紙の長辺又は短辺の何れかの寸法に対応させている請求項１記載のファイル。
【請求項３】
背見出し用紙配置部が、前記背見出し用紙を収容し得るようにファイル本体に設けた背ポケット部に形成され、該背見出し用紙を出し入れ可能に収容した状態に配置し得る背見出し用紙収容部位である請求項１又は２記載のファイル。
【請求項４】
背ポケット部を、少なくとも背表紙部の外面と、少なくとも背表紙部の外面の一部を被覆してファイル本体の外面に接着した矩形状をなす透明又は半透明の樹脂フィルムとから構成している請求項３記載のファイル。
【請求項５】
樹脂フィルムの両側縁を表表紙部及び裏表紙部の基端部に位置付け、樹脂フィルムの両側縁部をそれに対応する表表紙部及び裏表紙部の外面に接着するとともに、樹脂フィルムの下縁部における両側端部をそれに対応する表表紙部及び裏表紙部の外面のうち前記ヒンジ部に至らない領域に接着し、樹脂フィルムとファイル本体とが重合する領域のうち樹脂フィルムと表表紙部及び裏表紙部との接着部位以外の領域を前記背見出し用紙収容部位としている請求項４記載のファイル。
【請求項６】
樹脂フィルムの両側端部においてそれぞれ、各側縁部から下縁部における各側端部に亘って連続するＬ字形状をなす接着部位を形成している請求項５記載のファイル。
【請求項７】
樹脂フィルムの上縁を、ファイル本体の上縁よりも下方に位置付けている請求項４、５又は６記載のファイル。
【請求項８】
背表紙部の外面において前記背見出し用紙配置部以外の領域を、背表紙部の外面の色を外部から視認可能な表紙色明示領域としている請求項２、３、４、５、６又は７記載のファイル。
【請求項９】
概略矩形板状をなす芯材と、芯材の外面を密着状態で被覆し且つ周縁部を芯材の裏面側の周縁部に折り返して該芯材の裏面に密着させた概略矩形状をなす表層シートと、芯材の裏面を密着状態で被覆し且つ芯材の裏面側へ折り返された表層シートの周縁部に重合させた状態で密着させた概略矩形状をなす裏当てシートとから構成してなるファイル本体を具備し、該ファイル本体の中央部近傍において縦方向にヒンジ機能を有するヒンジ部を少なくとも二つ平行をなして形成することにより、ファイル本体を表表紙部と裏表紙部と背表紙部とに区画するとともに、該ヒンジ部を境に表表紙部と裏表紙部とを背表紙部に対して回動動作させることにより開閉可能とされ、少なくとも背表紙部の外面側に、表題等を表示する背見出し用紙を外部から視認可能に収容し得る背ポケット部を設けたものであって、
前記背ポケット部を、少なくとも背表紙部の外面と、少なくとも背表紙部の外面の一部を被覆してファイル本体の外面に溶着した矩形状をなす透明又は半透明の樹脂フィルムとから構成し、少なくとも背ポケット部の下端部における樹脂フィルムとファイル本体との溶着部位を、ファイル本体において芯材と表層シートと裏当てシートとが一枚ずつ重合し略均等な厚みを有する部位に設定していることを特徴とするファイル。
【請求項１０】
樹脂フィルムの両側縁部を表表紙部及び裏表紙部の基端部に位置付け、樹脂フィルムの両側縁部をそれに対応する表表紙部及び裏表紙部の外面に溶着するとともに、樹脂フィルムの下縁における両側端部をそれに対応する表表紙部及び裏表紙部の外面のうち前記ヒンジ部に至らない領域に溶着し、樹脂フィルムとファイル本体とが重合する領域のうち樹脂フィルムと表表紙部及び裏表紙部との接着部位以外の領域を前記背見出し用紙収容部位としている請求項９記載のファイル。
【請求項１１】
樹脂フィルムの両側端部においてそれぞれ、各側縁部から下縁部における各側端部に亘って連続するＬ字形状をなす接着部位を形成している請求項１０記載のファイル。
【請求項１２】
背ポケット部における樹脂フィルムとファイル本体との溶着部位全体を、ファイル本体において芯材と表層シートと裏当てシートとが一枚ずつ重合し略均等な厚みを有する部位に設定していることを特徴とする請求項９、１０又は１１記載のファイル。
【請求項１３】
樹脂フィルムの上縁を、ファイル本体の上縁よりも下方において芯材と表層シートと裏当てシートとが一枚ずつ重合し略均等な厚みを有する部位に位置付けている請求項９、１０、１１又は１２記載のファイル。
【請求項１４】
背ポケット部において背見出し用紙を出し入れ可能に収容し得る背見出し用紙収容部位の高さ寸法を、所定の標準規格紙の長辺又は短辺の何れかの寸法に対応させている請求項９、１０、１１、１２又は１３記載のファイル。
【発明の詳細な説明】
【０００１】
【発明の属する技術分野】
本発明は、書類等の収容対象物を挟み込み又は綴じ込んで使用されるファイルにおいて、特に背表紙部に背見出し用紙を収容し得る背ポケット部等、背見出し用紙を配置することができる背見出し用紙配置部を有するファイルに関するものである。
【０００２】
【従来の技術】
複数の用紙等を束ねて収容し得るように構成した表表紙部、裏表紙部及び背表紙部からなるファイル本体を有するファイルには、少なくとも背表紙部の外面を被覆するようにファイル本体とは別体の矩形状をなす透明樹脂フィルムを取り付けて、この透明樹脂フィルムと背表紙部との間に背ポケット部を形成し、この背ポケット部に背見出し用紙を収容させることによって、収容対象物の表題を表示し得るようにしたものが従来より流通している。この種のファイルにおいては、背ポケット部を形成するための樹脂フィルムの高さ寸法を、表表紙部、裏表紙部及び背表紙部を起立させた姿勢におけるファイル本体の高さ寸法と略同一となるように設定されているのが通例であり、背ポケット部には専用の背見出し用紙がファイルの販売時において予め収容されている（例えば、特許文献１参照）。この他にも、裏面に粘着層を設けたシール式の背見出し用紙を貼り付けるための領域である背見出し用紙配置部を背表紙部の外面に設けたファイルも考えられている。
【０００３】
また、上述した背ポケット部を構成する樹脂フィルムの幅寸法は背表紙部の幅寸法よりも若干大きめに設定されており、樹脂フィルムの側縁部を、表表紙部及び背表紙部の背表紙部との境界部分に形成されるヒンジ部の近傍、すなわち表表紙部及び背表紙部の基端部における外面に加熱圧着することにより溶着するとともに、樹脂フィルムの下縁部における両側端部を、表表紙部及び裏表紙部の基端部における外面に溶着しているのが一般的である（例えば、特許文献１参照）。つまり、樹脂フィルムの両側端部においてそれぞれＬ字形状をなす溶着部位が形成されており、特に下縁部においてはファイル本体の下端に沿って樹脂フィルムを溶着している。
【０００４】
【特許文献１】
特開平９−１４２０７２号公報（図２）
【０００５】
【発明が解決しようとする課題】
このようなファイルは、例えば収容対象物がＡ４判やＢ５判等のＪＩＳ規格に定められた標準規格紙である場合には、紙の周縁部の保護のために標準規格紙よりも一回り大振りにファイル本体のサイズが設定されており、背ポケット部を形成するための樹脂フィルムもファイル本体の高さ寸法に対応した高さ寸法を有している。具体的な一例を挙げて説明すると、ファイルがＡ４判の用紙の長辺側を綴じるものである場合、Ａ４判の用紙の長辺寸法が２９７ｍｍと定められているのに対して、ファイル本体及び樹脂フィルムの高さ寸法は約３０７ｍｍであってＡ４判の用紙の長辺寸法よりも約１０ｍｍ大きく、樹脂フィルムの下縁部における溶着部分の高さ寸法が約３ｍｍであるため背ポケット部における背見出し用紙を収容可能な領域である背見出し用紙収容部位の高さ寸法が約３０４ｍｍとなってＡ４判の用紙の長辺寸法よりも約７ｍｍ大きい。したがって、ファイルの販売時に背ポケット部に収容されている背見出し用紙の高さ寸法は約３０４ｍｍであって、Ａ４判の用紙の長辺寸法よりも約７ｍｍ大きい。すなわち、背見出し用紙には標準規格紙ではない用紙が用いられている。この点では、シール式の背見出し用紙についても同様である。すなわち、ある特定種類のファイルに専用のシール式の背見出し用紙としても規格外のサイズの用紙が用いられているのが通例である。
【０００６】
ところで、近年では、パーソナルコンピュータやプリンタの利用がオフィスや家庭で一般的になってきており、ファイルの購入時に背ポケット部に収容されていた専用の背見出し用紙を用いずに、所有する適宜の用紙に見出し文字等を印刷して独自の背見出し用紙を作成し、これを背ポケット部に収容したいというユーザ側の要望がある。この場合、ユーザの手元には通常はこのファイルに収容すべきサイズの標準規格紙であると考えられるため、より大判の用紙を入手してその用紙から元の背見出し用紙に対応する大きさの紙片を切り出さなければならず、その際には作成すべき紙片の少なくとも二辺に沿って用紙を切断する必要があり、その作業が非常に面倒である。一方、ファイルに綴じて収容されるサイズの標準規格紙から背ポケット部に収容可能な大きさの紙片を例えば長辺に沿って切り取ってこれを背見出し用紙として利用する場合は、当該背見出し用紙が背ポケット部の背見出し用紙収容部位の高さ寸法よりも短くならざるを得ず、背ポケット部に残余部分が生じることとなって見栄えが劣悪となる。このような不具合を解消するものとして、専用背見出し用紙と同サイズの交換用背見出し用紙が販売されていることもあるが、これを用いるとなると費用が余分にかかることになる。また、このような問題は、シール式の背見出し用紙を用いる場合にも同様に起こり得る。
【０００７】
さらに、使用者によっては棚やロッカー等に収納するファイルを背表紙部の外面色によって分類している場合があるが、そもそも交換用背見出し用紙も含めて専用の背見出し用紙は、背表紙部の外面のほぼ全体を覆い隠すように設計されているために、棚等に収納されたファイルを一見しただけでは背見出し用紙に隠されて背表紙部の外面色が把握しづらいという不具合もあるため、使用者が独自に作成した専用背見出し用紙と同一サイズの紙片からなる背見出し用紙では、このような不具合を解消することができない。
【０００８】
また、この種のファイルの一例として、厚手のファイル本体を有するものがある。このようなものには、例えばファイル本体を、ボール紙等からなる比較的分厚い芯材と、ファイル本体の外面側となる芯材の外面を密着状態で被覆し且つ周縁部をファイル本体の内面側となる芯材の裏面側の周縁部に折り返してこの芯材の裏面に密着させた概略矩形状をなすポリプロピレン樹脂等からなる表層シートと、芯材の裏面を密着状態で被覆し且つ芯材の裏面側へ折り返された表層シートの周縁部に重合させた状態で密着させた概略矩形状をなす比較的薄肉な紙製の裏当てシートとから構成したものがある。このようなファイル本体においては、その中央部近傍において縦方向にヒンジ機能を有するヒンジ部を少なくとも二つ平行をなして形成することにより、ファイル本体を表表紙部と裏表紙部と背表紙部とに区画している。このようなファイル本体に上述したようにファイル本体と略同一の高さ寸法を有し且つ背表紙部よりも幅寸法が大きい樹脂フィルムを取り付けて背ポケット部を形成する場合、溶着部位は樹脂フィルムの側縁部の全域と下縁部の両側端部に形成されることになる。
【０００９】
ところで、樹脂フィルムの側縁部に着目すると、樹脂フィルムの側縁部における上端部及び下端部を除く部位は、ファイル本体において表層シートと芯材と裏当てシートの合計３枚が一枚ずつ重合された表表紙部と裏表紙部の所定箇所に溶着されるが、樹脂フィルムの側縁部における上端部及び下端部は、表層シートが芯材の側縁部に沿って外面側から裏面側へ折り返され、さらに裏当てシートが重合されているために、表層シートと芯材と折り返された表層シートの合計３枚、若しくはそれに裏当てシートを加えた合計４枚が重合された表表紙部と裏表紙部の所定箇所に溶着されることになる。一方、樹脂フィルムの下縁部における両側端部については必然的に、表層シートと芯材と折り返された表層シートの合計３枚、若しくはそれに裏当てシートを加えた合計４枚が重合された表表紙部と裏表紙部の所定箇所に溶着されることになる。あるいは樹脂フィルムの下縁部における溶着部位が、ファイル本体への型押し等の方法によって形成されたヒンジ部にまで至る場合もあり得る。すなわち、溶着部位によっては、樹脂フィルムの溶着の相手方となるファイル本体の厚みが異なっている。
【００１０】
一般に、このような樹脂フィルムの溶着に際しては、樹脂フィルムやファイル本体の材質又は厚みによって若干の具体的な数値に違いはあるが、ファイル本体を平台の上に外面側を上にして載置し、さらに樹脂フィルムをファイル本体の外面状の所定箇所に配置した上で、溶着すべき箇所に適宜の温度に加熱した金属製溶着バーを上方より適宜時間押し付けることにより樹脂フィルムを部分的に加熱・加圧溶融してファイル本体の外面を構成する表層シートに一工程で接着する。ところが、樹脂フィルムの溶着部位に対応するファイル本体の肉厚が異なっていると、樹脂フィルムの表層シートへの接着状態が溶着部位によって相違することになる。具体的には、ファイル本体の上端部及び下端部以外の領域に対応した溶着条件で樹脂フィルムを溶着した場合、その領域よりもファイル本体の上端部及び下端部に沿った部位の肉厚が大きいため樹脂フィルムを過剰な圧力でファイル本体に押し付けることとなって、樹脂フィルムが溶融し過ぎ、その溶着部位において樹脂フィルムが切れ易く且つファイル本体から剥がれやすくなってしまう。一方、ファイル本体の上端部及び下端部に対応した溶着条件で樹脂フィルムを溶着した場合、その領域よりもファイル本体の上端部及び下端部以外の部位の肉厚が小さいため樹脂フィルムを十分にファイル本体に押し付けることができず、樹脂フィルムが溶融し足らず、その溶着部位において樹脂フィルムがファイル本体から浮き上がって剥がれやすくなってしまう。このように、樹脂フィルムを溶着する相手方のファイル本体の厚みが箇所によって異なることは、背ポケット部の適正な取付状態に多大な不具合をもたらすことになる。
【００１１】
本発明は、以上のような問題を解消すべくなされたものであり、使用者が標準規格紙や標準規格紙と同寸法の粘着シールを用いて自由に背見出し用紙をカスタマイズして作成し使用しても外観の悪化を招かず、また、背ポケット部を形成するための樹脂フィルムの溶着状態を適正なものとすることができるファイルを提供することを主たる目的としている。
【００１２】
【課題を解決するための手段】
すなわち、本発明のファイルは、表表紙部及び裏表紙部と、これら表表紙部及び裏表紙部の基端間に設けられる背表紙部とを有するファイル本体を具備し、表表紙部と背表紙部との境界部分及び裏表紙部と背表紙部との境界部分にそれぞれ形成されるヒンジ部を境に表表紙部と裏表紙部とを背表紙部に対して回動動作させることにより開閉可能であり、少なくとも背表紙部の外面側に、表題等を表示する背見出し用紙を外部から視認可能に配置し得る背見出し用紙配置部を設けたものであって、背見出し用紙配置部の高さ寸法を、所定の標準規格紙の長辺又は短辺の何れかの寸法に対応させていることを特徴とするものである。
【００１３】
ここで、本発明におけるファイルとは、用紙を綴じるための綴じ具をファイル本体の内側に備えた一般的なファイル又はバインダを含み、名刺やハガキを収納し得る専用袋をファイル本体の内側に備えた名刺ホルダやポストカードホルダ、写真を収納し得る専用袋或いは写真を貼り付ける台紙等を備えたアルバム、書類を収納し得る袋をファイル本体の内側に備えた所謂クリヤブック、フレキシブルディスクやＣＤ等のＯＡメディアを収納し得る袋やケース等をファイル本体の内側に設けたＯＡメディアファイリングホルダ等も含む包括的な名称として表したものである。
【００１４】
このような構成のファイルであれば、背見出し用紙配置部の高さ寸法がＡ４判やＢ５判等に代表される標準規格紙や標準規格に対応したサイズの粘着シールの短辺又は長辺の寸法に対応しているため、ユーザ自身が普段使用しているＪＩＳ標準規格の用紙にこのファイルに収容する収容対象物の表題をパーソナルコンピュータ及びプリンタを用いて任意に印刷した上で、この用紙を背見出し用紙配置部の幅寸法に合わせて短辺又は長辺に沿って一直線状に切断すれば、ユーザが独自にカスタマイズした背見出し用紙を簡単且つ手軽に作成することができる。さらに、このように作成した背見出し用紙を背見出し用紙配置部に配置した場合、背見出し用紙配置部とこの背見出し用紙の特に高さ方向の大きさが略一致することとなるため、背見出し用紙配置部に残余部分が生じず、見栄えのよい背見出しができる。したがって、ユーザがそのファイル専用の交換用背見出し用紙を購入する必要もない。また、ファイルの製造・販売者にとっても、販売時にファイルの背見出し用紙配置部に予め設けておく専用の背見出し用紙として、最も普及している標準規格紙を使用することができるため、用紙の切断によるロスや製造コストを低減することができる。
【００１５】
特に、背見出し用紙配置部の高さ寸法は、ファイル本体への前記収容対象物である所定の標準規格紙の長辺又は短辺の何れかの寸法に対応させておくとよい。このようにすることで、ユーザは最も手近にある標準規格の用紙や標準規格の粘着シールを背見出し用紙として利用することができるので非常に便利である。
【００１６】
背見出し用紙配置部の具体的態様の一例としては、背見出し用紙を収容し得る背ポケット部をファイル本体の外面に設けたものであって、この背ポケット部に形成され背見出し用紙を出し入れ可能に収容し得る背見出し用紙収容部位を背見出し用紙配置部として機能させるものが挙げられる。
【００１７】
この種の背ポケット部を簡便に形成するためには、少なくとも背表紙部の外面と、少なくとも背表紙部の外面の一部を被覆してファイル本体の外面に接着した矩形状をなす透明又は半透明の樹脂フィルムとによって背ポケット部を構成することが望ましい。具体的には、樹脂フィルムの両側縁を表表紙部及び裏表紙部の基端部に位置付け、樹脂フィルムの両側縁部をそれに対応する表表紙部及び裏表紙部の外面に接着するとともに、樹脂フィルムの下縁部における両側端部をそれに対応する表表紙部及び裏表紙部の外面のうち前記ヒンジ部に至らない領域に接着し、樹脂フィルムとファイル本体とが重合する領域のうち樹脂フィルムと表表紙部及び裏表紙部との接着部位以外の領域を前記背見出し用紙収容部位とするとよい。このようにすることで、背見出し用紙は、背ポケット部の上端部から出し入れすることができ、しかも接着部位の存在によって側方及び下方へは抜け落ちないので、背ポケット部及び背見出し用紙の使用感を向上することができる。この場合、樹脂フィルムの両側端部においてそれぞれ、各側縁部から下縁部における各側端部に亘って連続するＬ字形状をなす接着部位を形成することで、樹脂フィルムの接着を容易に行い、且つ接着部位がヒンジ部に跨らないようにしてファイル本体からの剥離を防止することができる。
【００１８】
また、棚等に収納したファイルを取り出す際には、ファイル本体の背表紙部の上縁に指を掛けて内面側から外面側へ引き出す操作をすることがあるが、この場合に指が滑って樹脂フィルムのみを手前へ引いてしまうと、樹脂フィルムの上縁が折れ曲がるなどして変形することがあり得る。このような不具合を解消するには、背ポケット部の上縁となる樹脂フィルムの上縁を、ファイル本体の上縁よりも下方に位置付けることが好ましい。
【００１９】
そして、以上のような構成のファイルであれば、背表紙部の外面において前記背見出し用紙配置部以外の領域を、背表紙部の外面の色を外部から視認可能な表紙色明示領域として積極的に機能させることができるため、ファイルに綴じる書類等の内容を背表紙部の外面色で分類し棚等に収納して使用するユーザの要望を見出すことが可能となる。
【００２０】
また、ファイルには、概略矩形板状をなす芯材と、芯材の外面を密着状態で被覆し且つ周縁部を芯材の裏面側の周縁部に折り返して芯材の裏面に密着させた概略矩形状をなす表層シートと、芯材の裏面を密着状態で被覆し且つ芯材の裏面側へ折り返された表層シートの周縁部に重合させた状態で密着させた概略矩形状をなす裏当てシートとから構成してなるファイル本体を具備し、ファイル本体の中央部近傍において縦方向にヒンジ機能を有するヒンジ部を少なくとも二つ平行をなして形成することにより、ファイル本体を表表紙部と裏表紙部と背表紙部とに区画するとともに、該ヒンジ部を境に表表紙部と裏表紙部とを背表紙部に対して回動動作させることにより開閉可能とされ、少なくとも背表紙部の外面側に、表題等を表示する背見出し用紙を外部から視認可能に収容し得る背ポケット部を設けたものがある。特にこのようなファイルにおける本発明の特徴は、背ポケット部を、少なくとも背表紙部の外面と、少なくとも背表紙部の外面の一部を被覆してファイル本体の外面に溶着した矩形状をなす透明又は半透明の樹脂フィルムとから構成し、少なくとも背ポケット部の下端部における樹脂フィルムとファイル本体との溶着部位を、ファイル本体において芯材と表層シートと裏当てシートとが一枚ずつ重合し略均等な厚みを有する部位に設定していることにある。
【００２１】
このように構成することで、樹脂フィルムの少なくとも下端部が、ファイル本体の芯材と表層シートと裏当てシートが合計３枚に重なり合った略均等な厚さの部位に対して表層シートの折り返しによって分厚くなった箇所を避けて溶着されるため、均一な条件による溶着が可能となり、樹脂フィルムが溶けすぎて切れることや、その一部がファイル本体から剥がれ易くなるというような従来の不具合を解消することができる。
【００２２】
樹脂フィルムとファイル本体との具体的に好ましい溶着態様には、樹脂フィルムの両側縁部を表表紙部及び裏表紙部の基端部に位置付け、樹脂フィルムの両側縁部をそれに対応する表表紙部及び裏表紙部の外面に溶着するとともに、樹脂フィルムの下縁における両側端部をそれに対応する表表紙部及び裏表紙部の外面のうち前記ヒンジ部に至らない領域に溶着したものが挙げられ、この場合、樹脂フィルムとファイル本体とが重合する領域のうち樹脂フィルムと表表紙部及び裏表紙部との接着部位以外の領域を前記背見出し用紙収容部位とすることができる。特に上述したように、樹脂フィルムの両側端部においてそれぞれ、各側縁部から下縁部における各側端部に亘って連続するＬ字形状をなす接着部位を形成すれば、背ポケット部の開放された上端部からの背見出し用紙の出し入れが容易になるとともに、背ポケット部に収容した背見出し用紙の側方及び下方への脱落を有効に防止することができる。
【００２３】
特に、背ポケット部の全体において、樹脂フィルムとファイル本体との溶着条件を一定にして、その条件の下で各部において均等な溶着状態を得るようにするためには、背ポケット部における樹脂フィルムとファイル本体との溶着部位全体を、ファイル本体において芯材と表層シートと裏当てシートとが一枚ずつ重合し略均等な厚みを有する部位に設定することが望ましい。より具体的には、背ポケット部の下端部のみならず上縁をも、ファイル本体の上縁よりも下方において芯材と表層シートと裏当てシートとが一枚ずつ重合し略均等な厚みを有する部位に位置付けることが好ましい。
【００２４】
そしてこのようなファイルにおいても、背ポケット部において背見出し用紙を出し入れ可能に収容し得る背見出し用紙収容部位の高さ寸法を、所定の標準規格紙の長辺又は短辺の何れかの寸法に対応させることで、ユーザが独自にカスタマイズした背見出し用紙を簡単且つ手軽に作成することができ、外観を向上し、専用の交換用背見出し用紙の購入の必要性をなくすというようなユーザ側のメリットに加えて、販売時に背ポケット部に入れておく背見出し用紙として標準規格紙を使用することができるという製造・販売者のメリットが得られるようになる。
【００２５】
【発明の実施の形態】
以下、本発明の一実施形態を、図面を参照して説明する。
【００２６】
図１、図２及び図３に示すこの実施形態のファイル１は、表裏に対をなして配置される表表紙部１１及び裏表紙部１２、並びにこれら表表紙部１１及び裏表紙部１２の基端間に配置される背表紙部１３を一体に備えたファイル本体１０を主体としてなるものであり、裏表紙部１２又は背表紙部１３の内面側に、このファイル１に綴じ込む収容対象物である用紙類を保持するための綴じ具（図示省略）を設けている。また、ファイル本体１０の外面側には、背見出し用紙６を収容するための背ポケット部１４を形成している。ここで、このファイル１は、例えばＪＩＳ規格に定められる標準規格紙の一種類であるＡ４判の用紙（図示省略）を複数枚綴じるために用いるものとし、綴じ具としては、最表面側の用紙の表面側及び最裏面側の用紙の裏面側にそれぞれ配置される綴じ板と、これら綴じ板間に配置され用紙に穿設した綴じ孔に挿入される複数の綴じ管とを有する一般的なパイプ式綴じ具、用紙に穿設した綴じ孔に挿入される開閉可能なリングを複数有する一般的なリング式綴じ具、最表面側の用紙を表面側から厚み方向へ押さえる一般的なバインダ式綴じ具などの各種綴じ具から適宜のものが適用される。
【００２７】
ファイル１の構成について具体的に説明すると、まずファイル本体１０は、図１〜図４に示すように、標準規格紙であるＡ４判の用紙よりも一回り大きい縦寸法及び横寸法を有する概略矩形状をなす表表紙部１１と、この表表紙部１１と同形状の裏表紙部１２と、これら表表紙部１１及び裏表紙部１２と同一の縦寸法及び予め定められた収容対象物たる用紙の最大収容枚数に応じて設定された幅寸法を有する背表紙部１３とを一体に有している。表表紙部１１の基端と背表紙部１３の側端との間と、裏表紙部１２の基端と背表紙部１３の側端との間には、それぞれヒンジ部１５、１５を各表紙部１１、１２、１３の縦方向に沿って相互に平行をなすように形成しており、このヒンジ部１５、１５のヒンジ機能によって、表表紙部１１及び裏表紙部１２を相互に離接させて開閉可能としている。以下、図１に示すように、ファイル１を机上等に立てて各表紙部１１、１２、１３を起立させた姿勢において、鉛直方向をファイル１の高さ方向として説明するものとする。ここで、ＪＩＳ規格に定められるＡ４判の標準規格紙の長辺寸法及び短辺寸法は、それぞれ２９７ｍｍ、２１０ｍｍである。これに対して本実施形態では、表表紙部１１、裏表紙部１２及び背表紙部１３の高さ寸法を約３０７ｍｍ、表表紙部１１及び裏表紙部１２の幅寸法を約２７２ｍｍ、背表紙部１３の幅寸法を約４５ｍｍ、各ヒンジ部１５、１５の幅寸法を共に約５ｍｍとしている。
【００２８】
このファイル本体１０は、構成部品から説明すると、図６に部分的な拡大斜視図として示すように、芯材２と、表層シート３と、裏当てシート４とから構成される。芯材２は、短辺寸法が約３０７ｍｍ、長辺寸法が約６３９ｍｍ、厚さが約２．３ｍｍの概略矩形板状をなすボール紙からなるものであり、四つの角部２１を斜めに切除している。表層シート３は、短辺寸法が約３１８ｍｍ、長辺寸法が約６５０ｍｍ、厚さが約０．１ｍｍの矩形状をなすポリプロピレンシートからなるものであり、芯材２のうちファイル本体１０の外面側となる一方の面（外面２ａ）を被覆するように配置され、周縁部３１を幅約１５ｍｍに亘って芯材２のうちファイル本体１０の内面側となる他方の面（裏面２ｂ）の周縁部に折り返している。特に、芯材２の角部２１に対しては、図６に示すように、表層シート３の角部３１ａを三角形状に外面２ａ側から裏面２ｂ側へ折り返し、さらにその上に重ねて、当該角部３１ａを形成している直交する二つの周縁部３１、３１を芯材２の外面２ａ側から裏面２ｂ側へその周縁部に沿って折り返している。なお、表層シート３の裏面３ｂには、接着剤が塗布されており、この裏面３ｂとそれに対面する芯材２の外面２ａ及び裏面２ｂとは接着により密着させてある。また、表層シート３の少なくとも外面３ａには、着色が施されており、その色がファイル本体１０の外面色となる。裏当てシート４は、短辺寸法が約２９５ｍｍ、長辺寸法が約６２７ｍｍ、厚さ約０．１ｍｍの矩形状をなす紙製シートであり、ファイル本体１０の内面側となる芯材２の裏面２ｂを被覆し、且つ芯材２の裏面２ｂ側に折り返された表層シート３の周縁部３１を被覆するように設けられる。この裏当てシート４の裏面４ｂには接着剤が塗布されており、この裏面４ｂとそれに対面する芯材２の裏面２ｂ及び表層シート３の周縁部３１とは接着により密着させてある。そして、このように芯材２と表層シート３と裏当てシート４とを一体に貼り付けた板状のファイル本体２において、両短辺からそれぞれ内側に約２７２ｍｍの位置に当該短辺と平行に外面側を溝状に窪ませるように型押しすることによって一対のヒンジ部１５、１５を形成するとともに、これらヒンジ部１５、１５によって表表紙部１１、背表紙部１３及び裏表紙部１２を区画している。したがって、このファイル本体１０では、四つの角部を除いて上縁から下方へ約７ｍｍ及び下縁から上方へ約７ｍｍの幅の領域が、外面側から表層シート３、芯材２、表層シート３がこの順で三重に重合されて厚さ約２．５ｍｍとなっている。また、それらの領域から下方へ約５ｍｍ及び上方へ約５ｍｍの幅の領域が外面側から表層シート３、芯材２、表層シート３、裏当てシート４がこの順で四重に重合されて厚さ約２．６ｍｍとなっている。さらに、これらの領域よりも内側の領域においては、外面側から順に表層シート３、芯材２、裏当てシート４がこの順で三重に重合されて厚さ約２．５ｍｍとなっている。
【００２９】
背ポケット部１４は、主として背表紙部１３の外面１３ａ側に形成されるものであって、本実施形態ではこのファイル１のユーザが標準規格紙から独自に作成した背見出し用紙６を収容するためのものである。具体的にこの背ポケット部１４は、ファイル本体１０の外面に透明なポリエチレンやポリプロピレン等の素材からなる比較的柔軟な樹脂フィルム５を溶着により取り付けることによって形成される。より具体的に背見出し用紙６には、図５に示すように、ユーザが、標準規格であるＡ４判の用紙６０の一方の短辺６０ａから約７ｃｍの位置に当該短辺６０ａと平行な切取線６０ｋを設定し、これら短辺６０ａと切取線６０ｋとの間の領域に例えば「見積書」等の見出し表記を記入又は印字しておき、この用紙６０から切取線６０ｋに沿って同図に矢印で示すように一直線状に切り取ることによって形成した矩形短冊状の紙片が、長辺側を縦方向として適用される。なお、切取線６０ｋや「見積書」等の表記は、ユーザがこの用紙６０に手書きしてもよいし、パーソナルコンピュータ及びプリンタ等を使用して作成してもよい。
【００３０】
このような背見出し用紙６を適切に収容可能とするために、樹脂フィルム５としては、ファイル本体１０への溶着部位の寸法を考慮して、作成された背見出し用紙６の縦寸法及び幅寸法よりも一回り大きく、縦寸法が約２１３ｍｍ、幅寸法が約７．８ｍｍの矩形状のものを適用する。そして、図４にファイル本体１０を平面的に開いた状態の外面側を示すように、樹脂フィルム５を、背表紙部１３と幅方向中央部を合致させて配置する。その際、樹脂フィルム５の上縁５ａは、ファイル本体１０の上縁１０ａから１２ｍｍ以上下方へ偏位する位置に位置付ける。すなわち樹脂フィルム５全体は、ファイル本体１０において外面側から順に表層シート３、芯材２、裏当てシート４がこの順で三重に重合されて略均一の厚さ（約２．５ｍｍ）となっている部位に配置されることになる。そして、樹脂フィルム５の両側縁５ｃ、５ｃに沿って側縁部の全体と、下縁５ｂに沿ってその両側端部とを連続するＬ字形状に、それぞれが対面する表表紙部１１及び裏表紙部１２の基端部近傍における外面に溶着することにより取り付けて固定する。特に、樹脂フィルム５の下縁５ｂにおいては、溶着がヒンジ部１５に至らないようにする。
【００３１】
ここで、樹脂フィルム５のファイル本体１０に対する溶着工程について、図７に示した模式図を用いて説明する。まず、ファイル本体１０を、表表紙部１１、裏表紙部１２及び背表紙部１３を開いた状態で外面側を上に向けて図示しない平台上に載置し、その上に上述したように樹脂フィルム５を配置する。このとき、樹脂フィルム５は上に凸となるように幅方向に弛ませておく。これは、溶着後に表表紙部１１と裏表紙部１２とを支障なく開閉することができるようにするためである。そして、樹脂フィルム５の溶着すべき両側縁部及び下縁部の両側端部の一対のＬ字形状に対応する形状の金属製溶着バー７を適宜温度に加熱しておき、この溶着バー７を同図（ａ）に矢印で示すように下方に押し下げて平台との間にあるファイル本体１０及び樹脂フィルム５に所定時間、所定圧力で加圧することによって樹脂フィルムを部分的に溶かして表層シート３の外面３ａに接着することで、同図（ｂ）に示すような溶着バー７の下面７１の凹凸形状に対応した凹凸形状を有する溶着部位５１が形成されることになる。なお、溶着バー７の下面における凹凸形状は、幅約３ｍｍに設定されているので、溶着部位５１も、樹脂フィルム５の両側縁５ｃ及び下縁５ｂに沿って約３ｍｍの幅寸法で形成されることになる。したがって、樹脂フィルム５における溶着部位５１は、何れの箇所もファイル本体１０において均等な肉厚の部位に溶着されているため、各部一定の条件での溶着が可能となり、溶着部位５１は全て一定の品質となって部分的な切断やファイル本体１０からの剥離を予防できることになる。また、溶着部位５１以外の部位では、ファイル本体１０との間に、樹脂フィルム５の上縁５ａにおいて上方に開口する矩形状の背見出し用紙配置部たる背見出し用紙収容部位５２が形成される。この背見出し用紙収容部位５２は、上述のように作成された背見出し用紙６の幅寸法及び縦寸法に対応した幅寸法及び高さ寸法を有している。
【００３２】
したがって、表表紙部１１、裏表紙部１２及び背表紙部１３を見開いた状態でファイル本体１０と樹脂フィルム５の上縁５ａとの間に形成される開口から背見出し用紙６を挿入すれば、背見出し用紙収容部位５２には過不足なくすっきりと背見出し用紙６が収まることになる。そのとき、溶着部位５１は樹脂フィルム５の側縁５ｃの全域と下縁５ｂの両側端部とをファイル本体１０に密着させているので、背見出し用紙収容部位５２に挿入した背見出し用紙６が側方又は下方へ抜け落ちることがない。また、背見出し用紙６を交換する場合には、上述したように作成した別の背見出し用紙６を同様に用いればよい。また、樹脂フィルム５の上縁５ａをファイル本体１０の上縁１０ａよりも下方に位置付けていることから、例えば棚等に収納したファイル１を取り出す場合に、背表紙部１３に手指を掛けた場合でも、指が滑って樹脂フィルム５のみを引っ張ることがないため、樹脂フィルム５の上縁部の変形を防止することができる。さらに、樹脂フィルム５の下縁５ｂは、ファイル本体１０の下縁１０ｂには至っていないため、その間の領域では背表紙部１３の外面１３ａが露出されている。すなわち、表層シート３の外面３ａの色がそのまま外部から認識できるようになっているため、この領域を、表紙の色をユーザに積極的に見せるための機能を果たす表紙色明示領域１６として活用することができる。また同じく、樹脂フィルム５の上縁５ａは、ファイル本体１０の上縁１０ａには至っていないため、その間の領域でも背表紙部１３の外面１３ａが露出されていることから、この領域も表紙色明示領域１６として活用することができる。そのため、表紙色によってファイル１を分類するユーザは、ファイル１を棚やロッカー等に収容した状態でもユーザが表紙色明示領域１６を通じて一目で背表紙部１３の外面の色を把握できることになる。この種のファイルの販売時には、予め専用の背見出し用紙が背ポケット部１４に収容されており、また交換用の専用背見出し用紙が販売されていることがあるが、これら専用背見出し用紙にも、標準規格紙を短冊状に切り取ったものを適用することができるため、ファイル１の製造メーカーでは、規格外紙を利用せずとも専用の背見出し用紙を製造することができるのでコスト削減にも役立てることができる。
【００３３】
なお、上述した実施形態では、標準規格紙であるＡ４判の用紙６０を、その短辺６０ａを長辺とする紙片を背見出し用紙６に適用し得るファイル１について説明したが、図９に示すような当該用紙６０の長辺６０ｂを長辺として一直線状に切断した紙片を背見出し用紙６００として適用し得るファイル１’を、図８に示すように本実施形態の変形例として挙げることができる。ただし、用紙６０に設定する切取線６０ｋ’は、前記実施形態における短辺６０ａから切取線６０ｋまでの距離と同一寸法だけ長辺６０ｂから離間した位置に、長辺６０ｂと平行に形成する。このファイル１’は、前記実施形態と同様の大きさの表表紙部１１０、裏表紙部１２０及び背表紙部１３０を有するファイル本体１００を備え、二つのヒンジ部１５０によって表表紙部１１０と裏表紙部１２０とを開閉可能としたものである。また、このファイル本体１００の外面には、前記実施形態と同様に樹脂フィルム５００を溶着することにより背ポケット部１４０を形成しているが、樹脂フィルム５００には、前記実施形態の樹脂フィルム５よりも縦寸法が大きく、且つ背見出し用紙６００を収容し得る縦寸法のものを適用する。すなわち、背見出し用紙６００の縦寸法は、用紙６０の長尺寸法に該当して２９７ｍｍであるため、樹脂フィルム５００の縦寸法は、その下縁５００ｂに沿った溶着部位５１０の溶着幅を加味して、約３００ｍｍとしている。そこで、樹脂フィルム５００の縦方向中央部をファイル本体１００の高さ方向中央部に合致させて配置する場合、ファイル本体１００の高さ寸法が約３０７ｍｍであるために、樹脂フィルム５００とファイル本体１００とが重合しない領域は、樹脂フィルム５００の上下に３．５ｍｍずつとなる。したがって、樹脂フィルム５００の側縁５００ｃ及び下縁５００ｂに沿った溶着部位５１０の溶着条件を一定にするために、すなわち樹脂フィルム５００をファイル本体１００において芯材と表層シートと裏当てシートとが各一枚ずつ重合する領域に溶着するために、芯材、表層シート、芯材の裏面側へ折り返した表層シート、裏当てシートの合計四層となる部位を、上述した樹脂フィルム５００とファイル本体１００とが重合しない領域に設定することになる。そのため、前記実施形態のファイル本体１０と同一の芯材２（図示省略）と、前記実施形態における表層シート３よりも一回り小さい表層シート３００と、前記実施形態における裏当てシート４よりも一回り大きい裏当てシート４００とを用いることによって、このファイル本体１００を構成している。このように構成することで形成される背ポケット部１４０の背見出し用紙収容部位５２０には、上述した背見出し用紙６００がちょうど収容される。そしてこの場合、ファイル本体１００と重合しない樹脂フィルム５００の上下においては、背表紙部１３０が外部に露出するため、その領域を、前記実施形態の場合よりも狭くはなるが表紙色明示領域１６０として利用することができる。したがって、このような構成のファイル１’では、上述した実施形態に係るファイル１と同様のメリットが得られる。
【００３４】
また、他の変形例としては、図１０に示すようにファイル本体２００として、一枚の樹脂製シートから表表紙部２１０、裏表紙部２２０及び背表紙部２３０を形成したファイル１’’が挙げられる。この場合、ファイル本体２００を構成する樹脂製シートは、ヒンジ部２５０を除いて各部略均一の厚さを有するものである。このようなファイル本体２００に、前記実施形態と同様の樹脂フィルム５を溶着することにより、同様の背見出し用紙６を収容し得る背ポケット部２４０を形成している。ただし、前記実施形態におけるファイル本体１０とは異なり、樹脂フィルム５の溶着部位５１がファイル本体２００において肉厚が異なる部位に亘ることがないため、樹脂フィルム５の上縁５ａをファイル本体２００の上縁２００ａと合致させることができる。勿論この場合も、樹脂フィルム５を前記実施形態のファイル１の場合と同様にその上縁５ａをファイル本体２００の上縁２００ａよりも下方位置に設けることに支障はない。また、上述した変形例に係るファイル１’の場合と同様に、背見出し用紙６００を収容し得る樹脂フィルム５００を用いた背ポケット部を形成しても構わない。さらに、背ポケット部２４０において溶着部位５１を除く領域に背見出し用紙収容部位５２が形成され、背表紙部２３０における樹脂フィルム５の上下に表紙色明示領域２６０が形成されるのも同様である。
【００３５】
また、更に他の変形例としては、図１１に示すように、前述した図１０に示すものと同様の樹脂製シートからなるファイル本体２００を備え、その背表紙部２３０にシール式の背見出し用紙６０００を貼り付けるための背見出し用紙配置部２５２を形成したファイル１’’’が挙げられる。この場合、ファイル本体２００には樹脂フィルム５は取り付けず、背表紙部２３０の外面における上端部よりの部位に、型押し等の方法によって矩形状に窪ませた背見出し用紙配置部２５２を形成している。この背見出し用紙配置部２５２の高さ寸法は、標準規格紙であるＡ４判の短辺寸法に対応しており、幅寸法は背表紙部２３０の幅寸法よりも小さい適宜寸法としている。これに対して背見出し用紙６０００は、標準規格紙であるＡ４判と同一寸法を有し裏面に粘着層を備えた通常の粘着シール式の用紙を、その短辺と平行に背見出し用紙配置部２５２の幅寸法に応じて切断することにより作成したものである。なお、この種の粘着シール式の用紙には、使用前には粘着層の表出面である粘着面を保護する台紙が貼付してあり、この台紙を剥がすことによって粘着面を表出させて使用する。したがって、背見出し用紙６０００の表面６０００ａには上述した実施形態や変形例のものと同様に「見積書」等の表題を印刷するなどしており、台紙（図示省略）を剥がした後に表出する裏面６０００ｂの粘着面を、背表紙部２３０に形成した背見出し用紙配置部２５２に貼付する。このようにすることで、ファイル１’’’には、上述の実施形態や各変形例と同様に標準規格紙に対応した粘着シール式の用紙を背見出し用紙として使用することができ、同様のメリットが得られる。さらに、背見出し用紙６０００を貼付していない背表紙部２３０の領域は、表紙色明示領域２６０’として利用することができる。なお、この変形例においても、背見出し用紙配置部の高さ寸法をＡ４判の長辺寸法に対応させ、背見出し用紙の縦寸法をＡ４判の長辺に対応させるような変更が可能である。また、ファイル本体には、樹脂シート製のもの以外に、上述した実施形態と同様のものを適用することもできる。さらに、背見出し用紙配置部は、背表紙部の外面を部分的に窪ませて形成したものの他に、背表紙部の外面を部分的に突出させたものや、特にこのように背見出し用紙配置部と他の部位を区画せずに背表紙部２３０の適宜の領域を背見出し用紙配置部として機能させることも可能である。さらに、背見出し用紙は背表紙部から表表紙部及び裏表紙部に跨って貼付するようにもすることができ、その場合は背見出し用紙が貼付される領域全体が、背見出し用紙配置部となる。
【００３６】
なお、本発明は上述した実施形態又は各変形例に係るファイルに限られるものではない。例えばファイル本体には、Ａ４判以外の標準規格紙を収容することを目的としたサイズのものを適用することができ、背ポケット部の大きさは当該ファイルに収容されるサイズの標準規格紙以外の標準規格紙に対応させてもよい。また、ファイル本体や樹脂フィルムの材質等も適宜変更することができ、樹脂フィルムのファイル本体への接着ないしは溶着方法も上述した方法に限らず適宜の手法を採用することができる。さらに本発明は、上述したような所謂ファイル乃至バインダ以外にも、名刺ホルダやポストカードホルダ、アルバム、クリヤブック、ＯＡメディアファイリングホルダ等にも適用することができる。その他、各部の具体的構成についても上記実施形態に限られるものではなく、本発明の趣旨を逸脱しない範囲で種々変形が可能である。
【００３７】
【発明の効果】
本発明に係るファイルは、以上に詳述したように、ファイル本体に背ポケット部等の背見出し用紙配置部を形成するに際して、背見出し用紙配置部の高さ寸法、特に背ポケット部を有する場合はそのうち背見出し用紙を収容し得る背見出し用紙収容部位の高さ寸法を、標準規格紙の長辺又は短辺の寸法に対応させたものである。したがって、ファイルのユーザが独自に作成した背見出し用紙を用いたい場合、手元にある標準規格紙や標準規格の粘着シールをその長辺又は短辺と平行に一箇所のみ一直線状に切り取ることによって簡単に作成した短冊状の紙片を背見出し用紙として利用することができるため、わざわざ専用の交換用背見出し用紙を購入する必要がなく、ユーザが自由に背見出し用紙をレイアウトすることができる。また、このような背見出し用紙を背ポケット部に収容しても、背見出し用紙収容部位等の背見出し用紙配置部と背見出し用紙との大きさが略一致するために背見出し用紙配置部に残余部分が生じず、ファイルの外観を悪化させることがない。また一方で、ファイルの製造・販売者も、従来のような規格外の大きさの専用背見出し用紙を製造しなくても、汎用される一般的な標準規格紙や標準規格紙と同サイズの粘着シールで背見出し用紙を製造できるため、コストダウンを図ることができる。さらに通常は、ファイル本体がそれに収容される用紙等の収容対象物よりも一回り大きいものであるため、背表紙部においては背見出し用紙配置部が形成されていない部位が生じることになり、この部位を積極的に露出させてユーザに表紙色を明示することができ、表紙色によってファイルを分類したいというユーザの要望を満たすことができる。
【００３８】
また、特にファイル本体が、芯材と、芯材の外面側を覆う表層シートと、芯材の裏面側を覆う裏当てシートとから構成したものであり、このファイル本体に樹脂フィルムを溶着して背ポケット部を形成する場合、表層シートの周縁部は芯材の裏面側に折り返して接着され、さらにその周縁部を被覆するように裏当てシートが接着されるのが通常であるが、これら芯材、表層シート、裏当てシートが四重以上に重合された部位を避け、一枚ずつ三重に重合された部位に樹脂フィルムを溶着するようにすることで、樹脂フィルムをファイル本体において略均等な厚さの部位に溶着することができるので、溶着条件を一定にすることができる。このため、部分的に溶着条件が変化することによる当該部位の切断や剥離を効果的に防止することが可能である。
【図面の簡単な説明】
【図１】本発明の一実施形態に係るファイルを示す斜視図。
【図２】同実施形態に係るファイルを背表紙部側から見た正面図。
【図３】同実施形態に係るファイルを表表紙部側から見た右側面図。
【図４】同実施形態に係るファイルを見開いた外面側を示す平面図。
【図５】同実施形態に係るファイルに適用される背見出し用紙を作成するための用紙を示す平面図。
【図６】同実施形態に係るファイルのファイル本体を部分的に拡大して示す斜視図。
【図７】同実施形態に係るファイルにおいてファイル本体に樹脂フィルムを溶着する様子を示す模式図。
【図８】同実施形態の一変形例に係るファイルを示す斜視図。
【図９】同変形例に係るファイルに適用される背見出し用紙を作成するための用紙を示す平面図。
【図１０】同実施形態の他の変形例に係るファイルを示す斜視図。
【図１１】同実施形態の更に他の変形例に係るファイルを示す斜視図。
【符号の説明】
１、１’、１’’…ファイル
２…芯材
３、３００…表層シート
４、４００…裏当てシート
５…樹脂フィルム
５ａ、５００ａ…上縁
５ｂ、５００ｂ…下縁
５ｃ、５００ｃ…側縁
６、６００…背見出し用紙
１０、１００、２００…ファイル本体
１１、１１０、２１０…表表紙部
１２、１２０、２２０…裏表紙部
１３、１３０、２３０…背表紙部
１４、１４０、２４０…背ポケット部
１５、１５０、２５０…ヒンジ部
１６、１６０、２６０…表紙色明示領域
５１、５１０…溶着部位
５２、５２０…背見出し用紙配置部（背見出し用紙収容部位）
【図１】
2004175045.tif 000003
【図２】
2004175045.tif 000004
【図３】
2004175045.tif 000005
【図４】
2004175045.tif 000006
【図５】
2004175045.tif 000007
【図６】
2004175045.tif 000008
【図７】
2004175045.tif 000009
【図８】
2004175045.tif 000010
【図９】
2004175045.tif 000011
【図１０】
2004175045.tif 000012
【図１１】
2004175045.tif 000013